【事件の表示】
　特許第３３７５５７１号「電気コネクタへのケーブルの半田接続方法」の請求項１、２に係る特許に対する特許異議の申立てについて、次のとおり決定する。
【結　論】
　訂正を認める。
　本件特許異議の申立てを却下する。
【理　由】
１．手続の経緯
　特許第３３７５５７１号の請求項１〜６に係る発明についての出願は、平成１１年６月２３日に特許出願され、平成１４年１１月２９日にその発明について特許権の設定登録がなされ、その後、その請求項１及び２に係る特許について、松岡利忠により特許異議の申立てがなされ、取消しの理由が通知され、その指定期間内である平成１６年７月２７日に訂正請求（後日取下げ）がなされた後、再度の取消しの理由が通知され、その指定期間内である平成１６年１０月４日に訂正請求がなされたものである。
　
２．訂正の適否
（１）訂正の内容
　特許権者が求めている訂正の内容は以下ａ〜ｈのとおりである。
ア．訂正事項ａ
　発明の名称について、「電気コネクタ及びこのコネクタへのケーブルの半田接続方法」とあるのを「電気コネクタへのケーブルの半田接続方法」と訂正する。
イ．訂正事項ｂ
　特許請求の範囲の請求項１及び２を削除する。
ウ．訂正事項ｃ
　特許請求の範囲の請求項３を請求項１とするとともに、その記載について、「請求項１の電気コネクタにケーブルを接続する方法において、ケーブルの端部にて被覆を所定だけ剥離して各芯線を露呈せしめ、コネクタの平板状の接続部の上にクリーム半田を塗布し、各芯線を対応接続部の位置でクリーム半田上に配置し、該クリーム半田を加熱して接続部と芯線とを半田接続することを特徴とするコネクタへのケーブルの半田接続方法。」とあるのを、「
絶縁ハウジングの端子配列面上に複数の端子の接続部が配列され、該ハウジングは隣接せる二つのリブ部により各端子の平板状の接続部を離間して配列するための溝部が形成されており、上記リブ部の高さは平板状の接続部上にケーブルの芯線を配したときに、上記リブ部の上縁と芯線の上面とがほぼ同じ高さ位置となるように設定されている
の上記接続部に
エ．訂正事項ｄ
　特許請求の範囲の請求項４〜６の項番を２つ繰り上げて請求項２〜４とするとともに各請求項において引用する請求項の項番を２つ繰り上げる。
オ．訂正事項ｅ
　明細書の段落【０００１】の記載について、「【発明の属する技術分野】
　本発明は電気コネクタ及びコネクタへのケーブルの半田接続方法に関する。」とあるのを、「【発明の属する技術分野】
　本発明は電気コネクタへのケーブルの半田接続方法に関する。」と訂正する。
カ．訂正事項ｆ
　明細書の段落【０００４】の記載について、「そこで、本発明は、かかる不具合を解決し、各芯線に対して十分なクリーム半田を確保し、隣接せる接続部同士間で短絡の虞れのない電気コネクタを提供すると共に、このコネクタでの簡単な半田接続を行う方法を提供することを目的とする。」とあるのを、「そこで、本発明は、かかる不具合を解決し、各芯線に対して十分なクリーム半田を確保し、隣接せる接続部同士間で短絡の虞れのない電気コネクタ
へ
キ．訂正事項ｇ
　明細書の段落【０００５】の記載について、「【課題を解決するための手段】
　本発明によれば、上記目的は、電気コネクタに関しては、絶縁ハウジングの端子配列面上に複数の端子の接続部が配列されており、該接続部とケーブルと半田接続する電気コネクタにおいて、ハウジングは隣接せる二つのリブ部により各端子の接続部を離間して配列するための溝部が形成されており、上記リブ部の高さは平板状の接続部上にケーブルの芯線を配したときに、上記リブ部の上縁と芯線の上面とがほぼ同じ高さ位置となるように設定されていることにより達成される」とあるのを「【課題を解決するための手段】
　本発明によれば、上記目的は、絶縁ハウジングの端子配列面上に複数の端子の接続部が配列され、
該
平板状の
電気コネクタの上記接続部にケーブルを接続する方法において、ケーブルの端部にて被覆を所定だけ剥離して各芯線を露呈せしめ、コネクタの平板状の接続部の上にクリーム半田を塗布し、各芯線を対応接続部の位置でクリーム半田上に配置し、該クリーム半田を加熱して接続部と芯線とを半田接続する
ク．訂正事項ｈ
　明細書の段落【００１６】の記載について、「【発明の効果】
　以上のように、本発明はハウジングの端子配列面にリブ部を設けることにより各端子の接続部を収める溝部を形成し、ケーブルの芯線を該接続部上に配したときに、リブ部の上縁と芯線の上面がほぼ同じ高さ位置にくるようにしたので、ケーブル芯線と接続部との半田接続の際に、クリーム半田がこのリブ部を境にして溝部同士間でつながることのない電気コネクタを得られ、しかも、溝部内の空間を半田接続に有効に活用でき、又、クリーム半田を一括して塗布するという簡単な方法で、かつ十分な量のクリーム半田を各接続部に対し分離して供給でき、信頼性の高い半田接続方法を得る。」とあるのを、「【発明の効果】
　以上のように、本発明はハウジングの端子配列面にリブ部を設けることにより各端子の接続部を収める溝部を形成し、ケーブルの芯線を該接続部上に配
されて
となっている
　
（３）訂正の目的の適否、新規事項の有無、及び特許請求の範囲の拡張・変更の存否
ア．訂正事項ｂは請求項１及び２を削除するするものであるから、  特許請求の範囲の減縮に該当し、新規事項を追加するものではない。
イ．訂正事項ｃは、請求項３について、引用する請求項１が訂正事項ｂにより削除されたことに伴って、請求項１の構成要件を記載して独立請求項とするとともに、請求項の項番を繰り上げるものであるから、不明りょうな記載の釈明に該当し、新規事項を追加するものではない。
ウ．訂正事項ｄは、訂正事項ｂにより請求項１及び２が削除されたことに伴って、請求項の項番を繰り上げるものであるから、不明りょうな記載の釈明に該当し、新規事項を追加するものではない。
エ．訂正事項ａ及びｅ〜ｈは、上記訂正事項ｂ〜ｄによる訂正に伴って、訂正後の請求項１〜４と発明の名称及び発明の詳細な説明の記載の整合を図るものであるから、不明りょうな記載の釈明に該当し、新規事項を追加するものではない。
　そして、訂正事項ａ〜ｈのいずれも、実質上特許請求の範囲を拡張し、又は変更するものでない。
　
（４）むすび
　以上のとおりであるから、上記訂正は、特許法第１２０条の４第２項及び同条第３項において準用する特許法第１２６条第２項から第３項までの規定に適合するので、当該訂正を認める。
　
３．特許異議申立について
　　上記２．で示したように上記訂正が認められるから、請求項１及び２に係る発明は削除されて、特許異議の申し立ての対象が存在しないので、この特許異議の申立ては、不適法な申立であって、その補正ができないものである。
　したがって、本件特許異議の申立ては、特許法第１２０条の６第１項で準用する第１３５条の規定によって却下すべきものである。
　よって結論のとおり決定する。
【異議決定日】
平成１６年１０月７日（２００４．１０．７）
【訂正の要旨】
審決（決定）の【理由】欄参照。
（５４）【発明の名称】
電気コネクタへのケーブルの半田接続方法
（５７）【特許請求の範囲】
　【請求項１】　絶縁ハウジングの端子配列面上に複数の端子の接続部が配列され、
該
の上記接続部にケーブルを接続する方法において、ケーブルの端部にて被覆を所定だけ剥離して各芯線を露呈せしめ、コネクタの平板状の接続部の上にクリーム半田を塗布し、各芯線を対応接続部の位置でクリーム半田上に配置し、該クリーム半田を加動して接続部と芯線とを半田接続する
コネクタへのケーブルの半田接続方法
　【請求項
２
１
　【請求項
３
１
２
　【請求項
４
３
【発明の詳細な説明】
　【０００１】
　【発明の属する技術分野】
　本発明は電気コネクタへのケーブルの半田接続方法に関する。
　【０００２】
　【従来の技術】
　絶縁ハウジングの端子配列面上に複数の端子の接続部が配列されているコネクタは広く知られている。この複数の接続部はそれぞれ平面をなし、互いに密に近接して列をなしており、ケーブルの芯線が対応接続部にそれぞれ半田接続される。例えば、リボンケーブル等の多数のケーブルが帯状となっているものでは、ケーブルの被覆を端部にて所定長だけ剥離して各芯線を分離状態で露呈せしめ、▲１▼各芯線にクリーム半田を付着させてから、この芯線を接続部に配置するか、あるいは、▲２▼各接続部に手作業でクリーム半田を順次供給してから、その上に芯線を配置して、しかる後に、クリーム半田を加熱して、接続部と芯線との半田結線を行っている。
　【０００３】
　【発明が解決しようとする課題】
しかしながら、上記の▲１▼にあっては、芯線に付着されるクリーム半田の量が十分でないことが多い。芯線が細線のときには、その傾向が著しい。その結果、半田不良の可能性がある。又、▲２▼の場合は、各接続部にクリーム半田を順次供給するので手間がかかる。自動化しても、装置が複雑化するだけである。さらには、クリーム半田が流れて隣接する接続部同士間で短絡してしまうこともある。
　【０００４】
　そこで、本発明は、かかる不具合を解決し、各芯線に対して十分なクリーム半田を確保し、隣接せる接続部同士間で短絡の虞れのない電気コネクタ
へ
　【０００５】
　【課題を解決するための手段】
　本発明によれば、上記目的は、絶縁ハウジングの端子配列面上に複数の端子の接続部が配列され、
該
平板状の
電気コネクタの上記接続部にケーブルを接続する方法において、ケーブルの端部にて被覆を所定だけ剥離して各芯線を露呈せしめ、コネクタの平板状の接続部の上にクリーム半田を塗布し、各芯線を対応接続部の位置でクリーム半田上に配置し、該クリーム半田を加熱して接続部と芯線とを半田接続する
　【０００６】
　かかるコネクタにおいては、リブ部の高さは、溝部に収容されるクリーム半田の量が一本のケーブルの芯線の接続部との半田接続に適した値となるように設定されているようにすることが好ましい。
　【０００７】
　又、上記目的は、ケーブルの半田接続方法に関しては、ケーブルの端部にて被覆を所定だけ剥離して各芯線を露呈せしめ、上述の構成のコネクタの平板状の接続部の上にクリーム半田を塗布し、各芯線を対応接続部の位置でクリーム半田上に配置し、該クリーム半田を加熱して接続部と芯線とを半田接続することにより達成される。
　【０００８】
　かかる方法においては、接続部の上にクリーム半田を塗布した後、該クリーム半田の加熱前に、リブ部の高さ以上のクリーム半田を除去することができる。
　【０００９】
　さらには、接続部の周囲の非半田部に、クリーム半田の塗布に先立ち、クリーム半田の付着防止のためのレジスト処理を施すこととするならば、接続部同士の半田による短絡は一層確実に防止される。その場合、非半田部をリブ部の上端面に限定してもよい。
　【００１０】
　【発明の実施の形態】
　以下、添付図面にもとづき、本発明の実施の形態を説明する。
　【００１１】
　図１に示すコネクタ１は、絶縁材から作られたハウジング２に複数の端子が植設されている。該ハウジング２は、前部（図１にて下部）に相手コネクタを受け入れる嵌合部２Ａを有し、後部側の上下の面（図１にて紙面に平行な面）には端子配列面３が形成されている。該配列面３には端子の接続部４を収める溝部５を形成するように垂立するリブ部６が前後方向に延びて複数設けられている。上記接続部４は溝部５の底面に収められるような平板状をなしている。
　【００１２】
　本実施形態では、図１のＩＩ−ＩＩ断面を示す図２に見られるように、上記配列面３はハウジング２の上下両面側に設けられているが、上面側は幅狭な信号端子の接続部４Ａを配列するように溝部５Ａも狭く形成され、又、下面側では左半分に上記の信号端子の接続部４Ａのための狭い溝部５Ａ、そして右半分に幅広な電源端子の接続部４Ｂのための幅広な溝部５Ｂが形成されており、リブ部６もこれに適合する間隔で設けられている。リブ部の高さは、後述の図３（Ｅ）に見られるごとく、平板状の接続部上にケーブルの芯線が配されたとき、リブ部の上縁と芯線の上面とがほぼ同じ高さ位置となるように設定され、又、図２，３に見られるように、上記溝部における接続部上の空間は高さよりも幅が大きくなっている。
　【００１３】
　かかる本実施形態のコネクタでは、ケーブルは次の要領で端子の接続部４に半田接続される。なお、信号端子と電源端子は、同じ要領で半田接続がなされるので、ここでは信号端子について説明する。
▲１▼　図３（Ａ）のように溝部５Ａの底部に端子の接続部４Ａが収められている状態で、図３（Ｂ）のごとく配列面３上にクリーム半田７を塗布する。このクリーム半田の塗布量は、隣接せる二つのリブ部６間のクリーム半田の量が一つの接続部へ一本の芯線が半田接続されるに適した量となるように設定される。リブ部６の高さを、溝部５内のクリーム半田の量がほぼその値となるように定めておくならば、クリーム半田をほぼリブ部６の高さまで塗布しておけば良いこととなる。
▲２▼　次に、端部の被覆が所定長だけ除去されたケーブルＣの芯線Ｃ１（図１をも参照）を、対応せる接続部４Ａの位置でクリーム半田７の上にもたらす（図３（Ｃ）参照）。
▲３▼　しかる後、クリーム半田７を加熱する（図３（Ｄ）参照）。クリーム半田は、表面張力の作用で芯線Ｃ１の周囲を覆うようになり、該芯線Ｃ１を中心として盛り上がるようになり、リブ部６の上面には存在しなくなる。かくして、降温後、半田はリブ部６により分離し各芯線Ｃ１は隣接せる芯線と短絡することなく対応接続部４Ａのみと半田接続される（図３（Ｅ）参照）。図３（Ｅ）に見られるごとく、リブ部の上縁と接続部４Ａ上の芯線Ｃ１の上面とは、ほぼ同じ高さ位置となっている。
　【００１４】
　本発明では、上記の方法以外でも実施可能である。本発明においてクリーム半田の塗布量をどの位にするかは重要な事項である。一応、リブの高さまで塗布すれば良いことではあるが、必ずしも均一にかつ適切な量だけ塗布できるとは限らない。そこで、例えば、図４のごとく、多めにクリーム半田７を塗布し、へら状の治工具Ｔによって、リブ部６の上端をなぞるようにして余分なクリーム半田を除去してから、芯線の配置そしてクリーム半田の加熱を行うようにすれば、より正確な塗布量を確保できる。
　【００１５】
　さらには、接続部以外にはクリーム半田が付着することのないように、図５のごとく、接続部４の周囲のハウジング部分（非半田部）（リブ部６をも含む）２Ｂにクリーム半田の付着防止のためのレジスト処理をクリーム半田の塗布前に施しておけば、隣接せる接続部同士での半田による短絡防止がさらに確実になる。その際、上記非半田部をリブ部の上端面としておくだけでも、その効果はある。
　【００１６】
　【発明の効果】
　以上のように、本発明はハウジングの端子配列面にリブ部を設けることにより各端子の接続部を収める溝部を形成し、ケーブルの芯線を該接続部上に配
されて
となっている
【図面の簡単な説明】
　【図１】
　本発明の一実施形態としての電気コネクタの概要をケーブルと共に示す平面図である。
　【図２】
　図２におけるＩＩ−ＩＩ断面図である。
　【図３】
　本実施形態のコネクタでのケーブルの半田接続の手順を示し、（Ａ）は芯線の配置前、（Ｂ）はクリーム半田の塗布後、（Ｃ）は芯線の配置時、（Ｄ）はクリーム半田の加熱時そして（Ｅ）は半田接続完了時をそれぞれ示す図である。
　【図４】
　他の実施形態を示す図である。
　【図５】
　さらに他の実施形態を示す図である。
　【符号の説明】
　１　電気コネクタ
　２　ハウジング
　３　端子配列面
　４（４Ａ，４Ｂ）　接続部
　５（５Ａ，５Ｂ）　溝部
　６　リブ部